(57)【要約】【課題】空調機器を停止することなく、吹出し口などに付着した埃（菌）の除去することが可能な埃除去シートを提供する。【解決手段】本発明に係る埃除去シート１００は、気流を発生させる機器の通気口に付着した埃の除去に用い、前記機器を停止させることなく埃の除去作業ができる埃除去シート１００において、通気性を有するシート素材１１０に、前記シート素材１１０の通気性が確保される程度に粘着材１３０が塗布される粘着材塗布領域が形成されることを特徴とする。【選択図】      図４
2017209593.tif 000002
【特許請求の範囲】
【請求項１】
気流を発生させる機器の通気口に付着した埃の除去に用い、前記機器を停止させることなく埃の除去作業ができる埃除去シートにおいて、
通気性を有するシート素材に、
前記シート素材の通気性が確保される程度に粘着材が塗布される粘着材塗布領域が形成されることを特徴とする埃除去シート。
【請求項２】
前記シート素材の周縁領域が、前記粘着材塗布領域であることを特徴とする請求項１に記載の埃除去シート。
【請求項３】
前記シート素材の周縁領域と、前記周縁領域同士を結ぶ連結領域とが、前記粘着材塗布領域であることを特徴とする請求項１に記載の埃除去シート。
【請求項４】
前記シート素材の周縁領域と、前記シート素材の周縁領域と隔たった隔離領域とが、前記粘着材塗布領域であることを特徴とする請求項１に記載の埃除去シート。
【請求項５】
前記シート素材の全面に前記粘着材塗布領域が形成されることを特徴とする請求項１に記載の埃除去シート。
【請求項６】
前記粘着材に蛍光物質が含まれることを特徴とする請求項１乃至請求項５のいずれか１項に記載の埃除去シート。
【請求項７】
前記シート素材が不織布であることを特徴とする請求項１乃至請求項６のいずれか１項に記載の埃除去シート。
【請求項８】
前記機器が空調機器であることを特徴とする請求項１乃至請求項７のいずれか１項に記載の埃除去シート。
【請求項９】
前記通気口が吹き出し口であることを特徴とする請求項１乃至請求項８のいずれか１項に記載の埃除去シート。
【請求項１０】
前記通気口が吸い込み口であることを特徴とする請求項１乃至請求項８のいずれか１項に記載の埃除去シート。
【請求項１１】
請求項１乃至請求項１０のいずれか１項に記載された埃除去シートを、気流を発生させる機器の通気口に取り付ける工程と、
前記機器を稼働し、前記通気口の埃を前記粘着材に付着させる工程と、
を有することを特徴とすることを特徴とする埃除去方法。
【請求項１２】
請求項１乃至請求項１０のいずれか１項に記載された埃除去シートを、気流を発生させる機器の通気口に取り付ける工程と、
前記通気口に付着した埃を吹き飛ばすブロアー装置を設置する工程と、
前記ブロアー装置を稼働し、前記通気口の埃を前記粘着材に付着させる工程と、
を有することを特徴とすることを特徴とする埃除去方法。
【発明の詳細な説明】
【技術分野】
【０００１】
本発明は、空調機器などの内部や吹出し口などに付着した埃（菌）を除去する埃除去シート及び、このような埃除去シートを用いた埃除去方法に関する。
【背景技術】
【０００２】
アスペルギルス属の真菌は、人がその胞子を吸入し、体内での増殖が原因の日和見感染症（アスペルギルス症）を引き起こす。一般的な原因菌はアスペルギルス・フミガタス(Aspergillus fumigatus)であるが、 A.flavus やA. niger などでも発生することがある。（なお、Aspergillus fumigatus、A.flavus、A. nigerはいずれも、学名であり本来はイタリック体で表記されるものである。）発症には、原因菌により生産されるマイコトキシンの一種のグリオトキシンが関与していると考えられる。
【０００３】
アスペルギルス属の胞子は環境中に広く存在することから、ほとんどのヒトが毎日吸入しているが、通常の健康人であれば、多量の菌を一度に吸引しなければ、アスペルギルス症には容易に感染しない。
【０００４】
しかし、免疫に障害があったり、手術などで免疫抑制剤などの投与によって一時的に免疫力が低下したりしているヒトでは、アスペルギルス症を発症するケースがある。特に、医療施設や高齢者施設では、本来疾患による免疫低下の患者や高齢者が多く、慢性閉塞肺疾患（COPD）などの慢性肺疾患、移植や癌治療のため免疫抑制剤を投与された患者などでは発症率が高い。
【０００５】
これは、医療施設などにおける空調機器の吹出し口に付着した埃に、暖房時の加湿空気や冷房時の結露水が吸着し、アスペルギルス属などの真菌が繁殖したと考えられる。
【０００６】
そこで、例えば、特許文献１（特開２０１４−１７６７９８号公報）には、空調機器に装着されるフィルタエレメントに抗菌機能を付与することが提案されている。しかしながら、このようなフィルタエレメントを空調機器に用いたとしても、吹出し口に付着した埃に繁殖する菌に係る問題は解決することはできない。
【特許文献１】特開２０１４−１７６７９８号公報
【発明の概要】
【発明が解決しようとする課題】
【０００７】
通常は、空調機器の吹出し口におけるアスペルギルス属などの真菌などが付着した埃は、空調機器を停止し、60℃以上の温水や消毒用のアルコールなどで拭き取ることで除去することが可能である。
【０００８】
しかしながら、医療施設や高齢者施設では、基本的に空調機器は１年中稼働しており、清掃だけのために空調機器を停止させることが困難であり、空調機器の吹出し口に付着した埃（菌）の除去ができない、という問題があった。
【０００９】
さらに、例え、空調機器をいったん停止することができたとしても、菌が付着した埃が落下したり、室内に拡散したりすることがあり、施設内のベッドの寝具やカーテンなどへの埃（菌）の二次汚染の危険性がある、という問題もあった。
【課題を解決するための手段】
【００１０】
この発明は、上記課題を解決するものであって、本発明に係る埃除去シートは、気流を発生させる機器の通気口に付着した埃の除去に用い、前記機器を停止させることなく埃の除去作業ができる埃除去シートにおいて、通気性を有するシート素材に、前記シート素材の通気性が確保される程度に粘着材が塗布される粘着材塗布領域が形成されることを特徴とする。
【００１１】
また、本発明に係る埃除去シートは、前記シート素材の周縁領域が、前記粘着材塗布領域であることを特徴とする。
【００１２】
また、本発明に係る埃除去シートは、前記シート素材の周縁領域と、前記周縁領域同士を結ぶ連結領域とが、前記粘着材塗布領域であることを特徴とする。
【００１３】
また、本発明に係る埃除去シートは、前記シート素材の周縁領域と、前記シート素材の周縁領域と隔たった隔離領域とが、前記粘着材塗布領域であることを特徴とする。
【００１４】
また、本発明に係る埃除去シートは、前記シート素材の全面に前記粘着材塗布領域が形成されることを特徴とする。
【００１５】
また、本発明に係る埃除去シートは、前記粘着材に蛍光物質が含まれることを特徴とする。
【００１６】
また、本発明に係る埃除去シートは、前記シート素材が不織布であることを特徴とする。
【００１７】
また、本発明に係る埃除去シートは、前記機器が空調機器であることを特徴とする。
【００１８】
また、本発明に係る埃除去シートは、前記通気口が吹き出し口であることを特徴とする。
【００１９】
また、本発明に係る埃除去シートは、前記通気口が吸い込み口であることを特徴とする。
【００２０】
また、本発明に係る埃除去方法は、前記に記載された埃除去シートを、気流を発生させる機器の通気口に取り付ける工程と、前記機器を稼働し、前記通気口の埃を前記粘着材に付着させる工程と、を有することを特徴とすることを特徴とする。
【００２１】
また、本発明に係る埃除去方法は、前記に記載された埃除去シートを、気流を発生させる機器の通気口に取り付ける工程と、前記通気口に付着した埃を吹き飛ばすブロアー装置を設置する工程と、前記ブロアー装置を稼働し、前記通気口の埃を前記粘着材に付着させる工程と、を有することを特徴とすることを特徴とする。
【発明の効果】
【００２２】
本発明に係る埃除去シート及び埃除去方法によれば、空調機器を停止することなく、吹出し口などに付着した埃（菌）の除去することが可能となると共に、さらに、菌が付着した埃が落下したり、室内に拡散したりすることがない。
【図面の簡単な説明】
【００２３】
【図１】空調機器の吹き出し口２０の一例を示す図である。
【図２】空調機器の吹き出し口２０の側面図である。
【図３】本発明の実施形態に係る埃除去シート１００に用いるシート素材１１０の斜視図である。
【図４】シート素材１１０を第１主面１１１側からみた図である。
【図５】本発明の実施形態に係る埃除去シート１００の斜視図である。
【図６】本発明の実施形態に係る埃除去シート１００を第１主面１１１側からみた図である。
【図７】取り付け具５０による埃除去シート１００の取り付けの様子を示す図である。
【図８】本発明の実施形態に係る埃除去シート１００が取り付けられた空調機器の吹き出し口２０の斜視図である。
【図９】本発明の実施形態に係る埃除去シート１００が取り付けられた空調機器の吹き出し口２０の側面図である。
【図１０】埃除去シート１００の他の取り付け態様を示す図である。
【図１１】埃除去シート１００の他の取り付け態様を示す図である。
【図１２】本発明の他の実施形態に係る埃除去シート１００を第１主面１１１側からみた図である。
【図１３】本発明の他の実施形態に係る埃除去シート１００を第１主面１１１側からみた図である。
【図１４】本発明の他の実施形態に係る埃除去シート１００を第１主面１１１側からみた図である。
【図１５】本発明の実施形態に係る埃除去シート１００による他の埃除去方法を説明する図である。
【発明を実施するための形態】
【００２４】
以下、本発明の実施の形態を図面を参照しつつ説明する。本発明の実施形態に係る埃除去シート１００は、運転中の空調機器の吹き出し口２０に取り付けて、吹き出し口２０周りにおけるアスペルギルス属などの真菌などが付着した埃の除去に使用されることが想定されている。
【００２５】
以下の実施形態では、埃除去シート１００を適用する気流を発生させる機器として、空調機器を例に説明するが、これによらず加湿器などの他の機器にも適用することが可能である。また、本発明に係る埃除去シート１００は、空調機器の吹き出し口２０周りの埃の除去に限らず、空調機器などの吸い込み口周りの埃の除去にも適用することができる。
【００２６】
図１は本発明の実施形態に係る埃除去シート１００が適用され得る空調機器の吹き出し口２０の一例を示す図であり、また、図２は空調機器の吹き出し口２０の側面図である。本実施形態では、空調機器の吹き出し口２０としてアネモスタット型のものを例として説明するが、本発明に係る埃除去シート１００が適用し得る吹き出し口２０がこれに限定されるものではなく、本発明に係る埃除去シート１００はフィンやルーバーを有する他の種々の吹き出し口等に対応することができる。
【００２７】
図に示すようにアネモスタット型の吹き出し口２０は、天井１０に埋設される複数のコーン３０から構成されている。本発明に係る埃除去シート１００は、上記のような吹き出し口２０全体を覆うようにして取り付ける。ここで、埃除去シート１００の構成について説明する。
【００２８】
図３は本発明の実施形態に係る埃除去シート１００に用いるシート素材１１０の斜視図である。また、図４はシート素材１１０を第１主面１１１側からみた図である。
【００２９】
また、図５は、上記のようなシート素材１１０を加工することにより得た、本発明の実施形態に係る埃除去シート１００の斜視図である。また、図６は本発明の実施形態に係る埃除去シート１００を第１主面１１１側からみた図である。
【００３０】
本発明に係る埃除去シート１００に用いる基材であるシート素材１１０としては、若干の収縮性と強靱性を有し、丈夫で通気性が良好なものであればどのようなものを用いても構わない。より詳しくは、シート素材１１０としては、アスペルギルス属などの真菌を通過させず、吹き出し口２０からの吹出し気流に影響を与えない（圧損が少ない）メッシュを含むシート素材１１０を用いる。
【００３１】
ここで、シート素材１１０のメッシュの大きさは、カビの胞子は直径５〜１０μｍの球状であるので、カビ胞子が通過できない５μｍ未満で、通常の吹き出し口２０の風速である数ｍ／ｓに影響を与えないものとすることが好ましい。
【００３２】
また、本発明に係る埃除去シート１００においては、吹き出し口２０の埃を付着させた後、これを廃棄することから、基材となるシート素材１１０としては、安価であり、かつ焼却してもダイオキシンなどを排出しない廃棄性に優れるものを用いることが好ましい。以上を勘案すると、本発明に係る埃除去シート１００に用いるシート素材１１０としては、通気性のある樹脂、紙や不織布などが好ましい。
【００３３】
シート素材１１０は、第１主面１１１と、この第１主面１１１と表裏の関係にある第２主面１１２と、を有している。この第１主面１１１側には、粘着材１３０が例えば図６に示すように塗布され、第１主面１１１には粘着材１３０による粘着材塗布領域が形成されている。
【００３４】
ここで、本実施形態では、図６に示すように、粘着材１３０が塗布されている粘着材塗布領域は、シート素材１１０の第１主面１１１の周縁と、埃除去シート１００が吹き出し口２０に取り付けられたとき、吹き出し口２０と重なる箇所と、に形成される。
【００３５】
シート素材１１０の周縁に設けられる粘着材塗布領域は、埃除去シート１００を天井１０に貼り付けるために主として用いられ、一方、シート素材１１０の周縁以外に設けられる粘着材塗布領域は、吹き出し口２０の埃を捕捉するために主として用いられる。
【００３６】
なお、本実施形態では、粘着材１３０を塗布する粘着材塗布領域を、シート素材１１０の第１主面１１１に設けるようにしたが、粘着材塗布領域は第２主面１１２に設けるようにしてもよい。ただし、シート素材１１０の粘着材塗布領域を形成する面は、少なくとも粘着材１３０と接着性などの相性がよいことが好ましい。
【００３７】
粘着材１３０としては、スプレー糊などに使用されるアクリルゴム、スチレンブタジエンゴムやクロロブレンゴムなど接着・剥離が容易なものを主成分とすることが好ましい。さらに、粘着材１３０には、蛍光物質を含有させておくことが好ましい。
【００３８】
本発明に係る埃除去シート１００は、吹き出し口２０に取り付けた上で空調機器を稼働させて、吹き出し口２０に付着している埃に、気流をあてこれを浮かせて攪拌させる。そして、吹き出し口２０に付着していた、気流により攪拌された埃を、埃除去シート１００の粘着材１３０に付着させる。最終的には、埃除去シート１００を吹き出し口２０から取り外して、埃を除去するものである。
【００３９】
ここで、埃を埃除去シート１００に付着させて、埃除去シート１００を吹き出し口２０から取り外した後、粘着材１３０が吹き出し口２０に残存してしまうことは好ましくない。そこで、粘着材１３０に含有させた蛍光物質をマーカーとして利用して、埃除去シート１００の取り外し後、吹き出し口２０に残存する粘着材１３０を拭い去る際、拭い残しがないかを確認するようにする。
【００４０】
なお、本実施形態では、上記のようなマーカーとして粘着材１３０に含有させた蛍光物質を用いるようにしたが、その他の物質をマーカーとして用いるようにしてもよい。
【００４１】
次に、以上のような本発明に係る埃除去シート１００によって、空調機器の吹き出し口２０に付着している埃を除去する方法について説明する。
【００４２】
図７は取り付け具５０による埃除去シート１００の取り付けの様子を示す図である。一般的に、空調機器の吹き出し口２０は天井１０に設けられているために、吹き出し口２０に埃除去シート１００を取り付ける際には、図７に示すような取り付け具５０を用いることが好ましい。
【００４３】
取り付け具５０は棹部材６０を有している。棹部材６０の一端には、シート保持縁部７０を備える凹部８０が設けられている。また、棹部材６０の他端は、持ち手として機能して、シート保持縁部７０を天井１０に押しつけることができるようになっている。
【００４４】
このような取り付け具５０を使用する際には、取り付け具５０の凹部８０に、埃除去シート１００の第１主面１１１が上方に向いた状態で、埃除去シート１００を載置する。続いて、棹部材６０の他端を持ち、図７の矢印の方向に埃除去シート１００が載置されている凹部８０を天井１０に押しつける。これにより、埃除去シート１００の粘着材１３０を天井１０に貼り付け、埃除去シート１００を天井１０の吹き出し口２０に取り付ける。
【００４５】
上記のような取り付け具５０で、本発明に係る埃除去シート１００を吹き出し口２０に取り付けた状態を図８及び図９に示す。図８は本発明の実施形態に係る埃除去シート１００が取り付けられた空調機器の吹き出し口２０の斜視図である。また、図９は本発明の実施形態に係る埃除去シート１００が取り付けられた空調機器の吹き出し口２０の側面図である。
【００４６】
なお、埃除去シート１００が吹き出し口２０に取り付けられたとき、図９に示すように、吹き出し口２０のコーン３０の高さに、埃除去シート１００がほぼ配されるようにする必要はない。本発明に係る埃除去シート１００の取り付け方としては、図１０に示すように、コーン３０と埃除去シート１００との間に隙間ができるようにしたり、図１１に示すように、コーン３０間で埃除去シート１００にテンションがかかる状態としたりすることができる。
【００４７】
次に、埃除去シート１００によって吹き出し口２０を捕捉する方法について説明する。図８や図９に示すように、吹き出し口２０に本発明に係る埃除去シート１００を取り付けられた後、空調機器を稼働させる。この際、少なくとも数十分は空調機器の強モード（切り替えモードがなければ通常モード）で運転するとよい。
【００４８】
埃除去シート１００が吹き出し口２０に取り付けられた状態で、空調機器を上記のように稼働することで、吹き出し口２０近傍の気流が攪拌される。これにより、吹き出し口２０に付着している埃は吹き飛ばされ、埃除去シート１００の粘着材１３０に移行し、捕捉される。
【００４９】
吹き出し口２０のコーン３０（或いは、フィン、ルーバーなど）や、吹き出し口２０内部の埃（菌）の粘着材１３０への吸着が終了したら、埃除去シート１００を吹き出し口２０から取り外す。その際に、埃（菌）が埃除去シート１００から剥離しないよう注意する。埃除去シート１００の粘着材１３０が貼り付いていた天井１０の面や、吹き出し口２０のコーン３０には、若干の粘着材１３０が残存しているので、消毒用アルコールやイソプロピルアルコールなどで拭き取ることが好ましい。このとき、粘着材１３０に含有される蛍光物質をマーカーとして用いると、これをより効率的に行える。
【００５０】
以上のような本発明に係る埃除去シート１００及び埃除去方法によれば、空調機器を停止することなく、吹き出し口２０などに付着した埃（菌）の除去することが可能となると共に、さらに、菌が付着した埃が落下したり、室内に拡散したりすることがない。
【００５１】
次に、本発明の他の実施形態について説明する。図１２は本発明の他の実施形態に係る埃除去シート１００を第１主面１１１側からみた図である。
【００５２】
先の実施形態においては、シート素材１１０の第１主面１１１に粘着材１３０が塗布されている粘着材塗布領域は、シート素材１１０の周縁と、シート素材１１０の周縁以外とに設けられており、前者と後者は隔離された状態のものであった。
【００５３】
これに対して、図１２に示す埃除去シート１００では、シート素材１１０の周縁領域と、この周縁領域同士を結ぶ連結領域とが、粘着材１３０が塗布される粘着材塗布領域であることを特徴としている。このような他の実施形態に係る埃除去シート１００によっても、先の実施形態と同様の効果を享受することができると共に、種々の吹き出し口の態様に適応することが可能である。
【００５４】
なお、本実施形態においては、連結領域が方眼状の格子パターンをなすものを例示したが、連結領域の幅や形は任意とすることができる。例えば、連結領域を斜めの格子パターンとしたり、曲線による格子パターンとしたりすることもできる。さらに、周縁領域同士を結ぶ連結領域が設けられるものであれば、連結領域が格子パターンに限定されることもない。
【００５５】
次に、本発明の他の実施形態について説明する。図１３は本発明の他の実施形態に係る埃除去シート１００を第１主面１１１側からみた図である。図１３に示される実施形態も、第１の実施形態同様、シート素材１１０の第１主面１１１に粘着材１３０が塗布されている粘着材塗布領域は、シート素材１１０の周縁と、シート素材１１０の周縁以外とに設けられており、前者と後者は隔離された状態のものであるが、後者の粘着材塗布領域が複数設けられている。
【００５６】
図１３に示す例では、４×５で計２０の粘着材塗布領域（隔離領域）が周縁以外に設けられている。このような他の実施形態に係る埃除去シート１００によっても、先の実施形態と同様の効果を享受することができると共に、種々の吹き出し口の態様に適応することが可能である。
【００５７】
なお、本実施形態においては、計２０の矩形状隔離領域が規則的に設けられたものを例示したが、隔離領域の数や形状、配置パターンはこれに限られるものではなく、任意である。
【００５８】
次に、本発明の他の実施形態について説明する。図１４は本発明の他の実施形態に係る埃除去シート１００を第１主面１１１側からみた図である。図１４に示す実施形態では、粘着材塗布領域はシート素材１１０の全面に設けられている。このような他の実施形態に係る埃除去シート１００によっても、先の実施形態と同様の効果を享受することができると共に、種々の吹き出し口の態様に適応することが可能である。
【００５９】
次に、本発明の他の実施形態について説明する。図１５は本発明の実施形態に係る埃除去シート１００による他の埃除去方法を説明する図である。
【００６０】
本実施形態に係る埃除去方法における埃除去シート１００の吹き出し口２０への取り付け方法は、先の実施形態と変わることはない。
【００６１】
先の実施形態では、埃除去シート１００を吹き出し口２０に取り付けた後、空調機器を稼働させて、吹き出し口２０に付着している埃を吹き飛ばし、埃除去シート１００の粘着材１３０に埃を捕捉していた。
【００６２】
これに対して、本実施形態に係る埃除去方法においては、円筒部材２１０内に、気流を発生させるファン２２０と、ＨＥＰＡフィルタなどのフィルタ２３０とが設けられたブロアー装置２００を、図１５に示すように埃除去シート１００に当接させて、ファン２２０を回転させることで、気流を発生させて、吹き出し口２０に付着している埃を吹き飛ばし、埃除去シート１００の粘着材１３０に埃を捕捉させるようにする。この際、ブロアー装置２００による気流は、空調機器内に吹き込む方向の気流とすることもできるし、またこれと逆の方向の気流とすることもできる。また、フィルタ２３０は、空調機器内に吹き込む気流などを清浄空気によるものとする。
【００６３】
このような実施形態によれば、空調機器の稼働のみでは実現し得ない気流を発生させることもできるので、より効率的に埃除去シート１００によって埃を除去することが可能となる。
【００６４】
以上、本発明に係る埃除去シート及び埃除去方法によれば、空調機器を停止することなく、吹出し口などに付着した埃（菌）の除去することが可能となると共に、さらに、菌が付着した埃が落下したり、室内に拡散したりすることがない。
【符号の説明】
【００６５】
１０・・・天井
２０・・・吹き出し口（通気口）
３０・・・コーン
５０・・・取り付け具
６０・・・棹部材
７０・・・シート保持縁部
８０・・・凹部
１００・・・埃除去シート
１１０・・・シート素材
１１１・・・第１主面
１１２・・・第２主面
１３０・・・粘着材
２００・・・ブロアー装置
２１０・・・円筒部材
２２０・・・ファン
２３０・・・フィルタ
【図１】
2017209593.tif 000003
【図２】
2017209593.tif 000004
【図３】
2017209593.tif 000005
【図４】
2017209593.tif 000006
【図５】
2017209593.tif 000007
【図６】
2017209593.tif 000008
【図７】
2017209593.tif 000009
【図８】
2017209593.tif 000010
【図９】
2017209593.tif 000011
【図１０】
2017209593.tif 000012
【図１１】
2017209593.tif 000013
【図１２】
2017209593.tif 000014
【図１３】
2017209593.tif 000015
【図１４】
2017209593.tif 000016
【図１５】
2017209593.tif 000017